(57)【要約】      （修正有）【課題】エッジングや洗浄等の湿式処理工程において、回路板を搬送ユニット上で反転させ、均等に加工工程を施すことができる回路板挟持治具を提供する。【解決手段】被処理回路板２は、内枠３０ａ内に複数の挟持具４０ａによって挟持され、内枠は外枠１０ａの収納空間内に一対の枢接デバイス２０ａにより外枠内で回転可能に支持される。被処理回路板は、搬送ユニット上に縦置で配置されて搬送される、処理される過程で反転して表裏均一な処理を受ける。また、被処理回路板を内枠の面内でローラー８０ａで回転可能に支持することにより、さらに均一な処理を施すことができる。【選択図】図４
0003187147.tif 000002
【実用新案登録請求の範囲】
【請求項１】
搬送ユニット上に縦置で配置され、該搬送ユニットに沿って搬送される外枠と、
回路板を収納する収納空間を有する内枠とを具え、
上記外枠は上記内枠をその枠内に収容すると共にその内側両側に設けられた一対の枢接デバイスにより内枠をその軸廻りに反転可能に支持し、
内枠はその収納空間の相対する両側に複数の挟持具を配置して回路板を支持することを特徴とする反転機構を有する回路板挟持治具。
【請求項２】
上記複数の挟持具は、上記内枠の収納空間の相対する両側に固定された一対の挟持棒に結合されていることを特徴とする請求項１に記載の反転機構を有する回路板挟持治具。
【請求項３】
上記一対の支持棒はそれぞれの両端において、上記内枠の収納空間に隣接した位置に設けられた溝内に配置された弾性デバイスにより該溝に沿ってその弾発力に抗してスライド可能とされていることを特徴とする請求項１に記載の反転機構を有する回路板挟持治具。
【請求項４】
前記収納空間は、四角形または円の開口部であることを特徴とする請求項１に記載の反転機構を有する回路板挟持治具。
【請求項５】
前記内枠の収容空間に位置して円盤を配置し、
前記複数の挟持具を該円盤上に設けて回路板を支持すると共に、
内枠の前記収容空間の側縁に該円盤を回転可能に支持する複数のローラーを設けた
ことを特徴とする請求項１に記載の反転機構を有する回路板挟持治具。
【請求項６】
前記円盤は、前記内枠の収容空間のサイズよりやや大きいことを特徴とする請求項５に記載の反転機構を有する回路板挟持治具。
【請求項７】
前記ローラーは、その側面に羽根を設けた羽根車を配置して、水流により該羽根車を介して回転駆動されることを特徴とする請求項５に記載の反転機構を有する回路板挟持治具。
【請求項８】
前記内枠の収納空間の相対する両側にそれぞれ設けられ、前記円盤の位置決めを行なう一対の固定デバイスを、さらに含むことを特徴とする請求項７に記載の反転機構を有する回路板挟持治具。
【請求項９】
前記ローラーは、複数であって前記内枠の収納空間の外縁に間隔をおいて配置され、四角形の配列を呈することを特徴とする請求項５に記載の反転機構を有する回路板挟持治具。
【請求項１０】
前記円盤は、前記回路板および前記複数の挟持具を収納する第２の収納空間を有することを特徴とする請求項５に記載の反転機構を有する回路板挟持治具。
【考案の詳細な説明】
【技術分野】
【０００１】
本考案は、回路板支持治具に関し、特に、反転機構を有する回路板支持治具に関する。
【背景技術】
【０００２】
回路板製造工程のエッチング、洗浄などウエットエッチングにおいて、回路板が治具により支持・固定され、加工が行なわれる。回路板は、加工工程において、縦置または横置で搬送ユニット上に配置され、搬送ユニットにより所定のライン上で搬送され、エッチング、洗浄などの加工作業が行なわれる。
【０００３】
縦置搬送の工程では、回路板が治具により固定されて搬送されると、同一方向の同一角度で挟持固定されるため、エッチング、洗浄などが行なわれない部分もあり、回路板が均一に加工されず、歩留まり率を低下させていた。
【先行技術文献】
【特許文献】
【０００４】
【特許文献１】特開２０１３−１４０９３４号公報
【考案の概要】
【考案が解決しようとする課題】
【０００５】
本考案の第１の目的は、回路板を搬送ユニット上で反転させ、均等に加工工程を施す反転機構を有する回路板挟持治具を提供することにある。
本考案の第２の目的は、円盤およびローラーを設けて回路板を搬送ユニット上で異なる方向に反転させ、均等に加工工程を施す反転機構を有する回路板挟持治具を提供することにある。
【課題を解決するための手段】
【０００６】
上述の目的を達成するため、本考案は、反転機構を有する回路板挟持治具を提供する。本考案の反転機構を有する回路板挟持治具は、外枠、一対の枢接デバイス、内枠および複数の挟持具を有する。外枠は、搬送ユニット上に縦置で配置され、搬送ユニットに連動する。一対の枢接デバイスは、外枠上の相対する内側に対応するように設けられている。内枠は、一対の枢接デバイスにより外枠内に動けるように結合され、外枠に対して反転し、回路板を収納する第１の収納空間を有する。複数の挟持具は、内枠の第１の収納空間の相対する両側にそれぞれ設けられ、回路板を挟持している。
【考案の効果】
【０００７】
本考案の反転機構を有する回路板挟持治具は、挟持具に挟持された回路板が外部からの力により搬送ユニット上で反転して前方に移動し、また円盤およびローラーにより搬送ユニット上で加工処理装置に対してその向きを変えて反転するため、回路板に対して均等に加工工程を施すことができる。そのため、従来技術において、回路板が均一に加工されず、歩留まり率を低下させていたという短所を解決することができる。
【図面の簡単な説明】
【０００８】
【図１】本考案の第１の実施形態による反転機構を有する回路板挟持治具を示す斜視図である。
【図２】本考案の第１の実施形態による反転機構を有する回路板挟持治具の使用動作を示す斜視図である。
【図３】本考案の第２の実施形態による反転機構を有する回路板挟持治具を示す斜視図である。
【図４】本考案の第２の実施形態による反転機構を有する回路板挟持治具の使用動作を示す斜視図である。
【考案を実施するための形態】
【０００９】
以下、本考案の実施形態を図面に基づいて説明する。
【００１０】
図１を参照する。図１は、本考案の第１の実施形態による反転機構を有する回路板挟持治具を示す斜視図である。図１に示すように、本考案の反転機構を有する回路板挟持治具１は、回路板を挟持するのに用いられる。挟持治具１は、外枠１０、一対の枢接デバイス２０、内枠３０および複数の挟持具４０を有する。内枠３０は、一対の枢接デバイス２０により外枠１０内に枢接されている。
【００１１】
本実施形態において、外枠１０は、四角形の枠板で、内枠３０が対応するように、四角形の枠板である。内枠３０は、外枠１０に対応し、同一比例で縮小し、平行に外枠１０内に配置されるのが好適である。
【００１２】
枢接デバイス２０は、外枠１０上の相対する内側に対応するように設けられている。内枠３０は、一対の枢接デバイス２０により外枠１０内で動けるように結合されている。また、内枠３０は、外枠１０に対して反転することができる。外枠１０と内枠３０との間には、隙間１００が設けられている。
【００１３】
内枠３０は、回路板２を収納する第１の収納空間３００を有する。複数の挟持具４０は、内枠３０の第１の収納空間３００の相対する両側にそれぞれ設けられ、回路板２を挟持している。本実施形態において、第１の収納空間３００は、四角形であるが、これに限定されるものではない。
【００１４】
挟持治具１は、一対の挟持棒５０および複数の弾性デバイス６０を有する。一対の挟持棒５０は、内枠３０の第１の収納空間３００の相対する両側に固定され、挟持具４０は、それぞれ一対の挟持棒５０上に結合されている。内枠３０は、第１の収納空間３００に隣接した位置に複数の溝３１を設けている。複数の弾性デバイス６０は、対応するように溝３１内に設けられ、溝３１に沿って弾力を持ちながら移動する。本実施形態において、弾性デバイス６０は、スプリングであるが、これに限定されるものではない。
【００１５】
図２を参照する。図２は、本考案の第１の実施形態による反転機構を有する回路板挟持治具の使用動作を示す斜視図である。図２に示すように、挟持治具１が搬送ユニット３上に配置されている。本実施形態において、搬送ユニット３は、搬送ローラーであるが、これに限定されるものではない。
【００１６】
使用の際は、外枠１０が搬送ユニット３上に縦置で配置され、搬送ユニット３により前方に移動する。つまり、本考案の回路板挟持治具１は、直立方式で搬送される。外枠１０は、側辺が搬送ユニット３上に配置され、移動中、搬送ユニット３に対して直立状態を呈している。
【００１７】
挟持治具１の内枠３０は、外部から力を受けると、外枠１０に対して反転し、内枠３０内に挟持されている回路板２も共に反転する。この時、外枠１０が搬送ユニット３により前方に移動するため、回路板２が搬送ユニット３上で反転しながら進み、回路板２が均等に加工される。
【００１８】
図３を参照する。図３は、本考案の第２の実施形態による反転機構を有する回路板挟持治具を示す斜視図である。図３に示すように、本実施形態は、挟持治具１ａは、外枠１０ａ、一対の枢接デバイス２０ａ、内枠３０ａおよび複数の挟持具４０ａを有する。第１の実施形態とほぼ同様であるが、回路板が一方向に反転するだけでなく、他の一方向にも反転するところが異なる。これにより、挟持治具１ａは、内枠３０ａ上に結合する円盤７０ａ、少なくとも一つのローラー８０ａ、および円盤７０ａの位置決めを行なう固定デバイス９０ａをさらに有する。
【００１９】
内枠３０ａは、一対の枢接デバイス２０ａにより外枠１０ａ内に枢接され、外枠１０ａに対して反転する。内枠３０ａは、第１の収納空間３００ａを有する。固定デバイス９０ａは、内枠３０ａの第１の収納空間３００ａの相対する両側にそれぞれ設けられている。円盤７０ａは、固定デバイス９０ａにより内枠３０ａ上に位置決めされる。円盤７０ａは、回路板２および複数の挟持具４０ａを収納する。
【００２０】
第１の収納空間３００ａは、開口部である。円盤７０ａは、第１の収納空間３００ａのサイズよりやや大きい。円盤７０ａは、回路板２を収納する第２の収納空間７００ａを有する。回路板２および複数の挟持具４０ａは、第２の収納空間７００ａ内に収納されている。複数の挟持具４０ａは、それぞれ第２の収納空間７００ａ上の相対する両側に配置され、回路板２を挟持しているのが好適である。
【００２１】
ローラー８０ａは、第１の収納空間３００ａの一方の側面に、外縁に接触するように設けられている。本実施形態において、ローラー８０ａは、羽根８１ａ、および羽根８１ａの側面に設けられた羽根車８２ａを有する。ローラー８０ａは、数量が複数で、第１の収納空間３００ａの外縁に配置され、四角形の配列を呈するのが好適である。これにより、円盤７０ａを均等に回転させる十分な力を提供する。
【００２２】
図４を参照する。図４は、本考案の第２の実施形態による反転機構を有する回路板挟持治具の使用動作を示す斜視図である。図４に示すように、使用の際は、外枠１０ａが搬送ユニット３上に縦置で配置され、搬送ユニット３により前方に移動する。内枠３０ａは、外部から力を受けると、外枠１０ａに対して反転し、内枠３０ａ内に挟持されている回路板２も連動して反転する。
【００２３】
ローラー８０ａは、外部から力を受けて回転する。本実施形態において、ローラー８０ａの羽根車８２ａが注水により回転し、羽根８１ａを回転させる。これにより、羽根８１ａ上に外縁を接触させている円盤７０ａを連動して円盤７０ａおよび回路板２をその面内で回転させる。
【００２４】
回路板２は、外部から力により搬送ユニット３上で反転して前方に移動するだけでなく、円盤７０ａおよびローラー８０ａにより搬送ユニット３上で回転することができる。以上のように、挟持治具１、１ａを設けることにより、回路板２に対して均等に加工工程を施すことができる。
【００２５】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００２６】
１  挟持治具
１ａ  挟持治具
２  回路板
３  搬送ユニット
１０  外枠
１０ａ  外枠
２０  枢接デバイス
２０ａ  枢接デバイス
３０  内枠
３０ａ  内枠
３１  溝
４０  挟持具
４０ａ  挟持具
５０  挟持棒
６０  弾性デバイス
７０ａ  円盤
８０ａ  ローラー
８１ａ  羽根
８２ａ  羽根車
９０ａ  固定デバイス
１００  隙間
３００  第１の収納空間
３００ａ  第１の収納空間
７００ａ  第２の収納空間
【図１】
0003187147.tif 000003
【図２】
0003187147.tif 000004
【図３】
0003187147.tif 000005
【図４】
0003187147.tif 000006
【手続補正書】
【提出日】平成25年8月19日(2013.8.19)
【手続補正１】
【補正対象書類名】実用新案登録請求の範囲
【補正対象項目名】請求項３
【補正方法】変更
【補正の内容】
【請求項３】
上記一対の挟持棒はそれぞれの両端において、上記内枠の収納空間に隣接した位置に設けられた溝内に配置された弾性デバイスにより該溝に沿ってその弾発力に抗してスライド可能とされていることを特徴とする請求項１に記載の反転機構を有する回路板挟持治具。
【手続補正書】
【提出日】平成25年9月17日(2013.9.17)
【手続補正１】
【補正対象書類名】実用新案登録請求の範囲
【補正対象項目名】請求項３
【補正方法】変更
【補正の内容】
【請求項３】
上記一対の挟持棒はそれぞれの両端において、上記内枠の収納空間に隣接した位置に設けられた溝内に配置された弾性デバイスにより該溝に沿ってその弾発力に抗してスライド可能とされていることを特徴とする請求項２に記載の反転機構を有する回路板挟持治具。